(57)【要約】    【課題】既存の設備を改造することなく、非常に容易に、かつ、安価に導入することが可能な遊技機用の監視システムを提供する。    【解決手段】監視システムＳにおいては、各設置台２０３，２０３・・にパチンコ機１，１・・が設置されており、各設置台２０３，２０３・・の各パチンコ機１，１・・と隣接した上方に通信ユニット３３，３３・・が設置されている。そして、それらの通信ユニット３３，３３・・には、パチンコホールの店員が監視態様を「認証モード」に切り替えるための店員カード用アンテナと、店員が不正監視に関する情報を入手するための中継タグと、遊技者が遊技に関する情報を入手するための遊技者カード用アンテナとが内蔵されている。【選択図】  図２
2006055357.tif 000002
【特許請求の範囲】
【請求項１】
遊技機に設置された監視用ＩＣタグと、
監視用アンテナを介して前記監視用ＩＣタグと無線通信を実行する監視制御装置と、
所定のＩＤ情報を記憶した認証用ＩＣタグと、
その認証用ＩＣタグとの無線通信を行って前記認証用ＩＣタグから前記ＩＤ情報を読み取る認証用アンテナと、
前記認証用ＩＣタグのＩＤ情報が予め記憶されている管理装置と、
前記監視制御装置から送信された監視履歴情報を記憶する中継用ＩＣタグと、
中継用アンテナを介して前記中継用ＩＣタグから前記監視履歴情報を読み取る携帯用端末とを有しており、
前記監視制御装置が、前記監視用アンテナを介して、前記遊技機に設置された前記監視用ＩＣタグとの間の無線通信を周期的に繰り返し実行し、その無線通信状態が変化した場合に、第一監視情報を外部に出力するとともに、
前記認証用アンテナが前記認証用ＩＣタグから読み取ったＩＤ情報が、予め管理装置内に記憶されているＩＤ情報と一致した条件の下では、前記監視用アンテナと前記監視用ＩＣタグとの間の無線通信状態が変化した場合に、前記監視制御装置が前記第一検知情報とは異なる第二監視情報を外部に出力する一方、
前記中継用ＩＣタグが、前記携帯用端末と無線通信することにより、前記監視履歴情報を外部に出力する遊技機用監視システムであって、
前記認証用アンテナと前記中継用ＩＣタグとを内蔵した通信ユニットが、前記遊技機とは別の位置に設置されていることを特徴とする遊技機用監視システム。
【請求項２】
監視制御装置が第二監視情報を外部に出力していることを報知するための認証状態報知手段が通信ユニットに設置されていることを特徴とする請求項１に記載の遊技機用監視システム。
【請求項３】
中継用ＩＣタグが監視履歴情報を外部に出力していることを報知するための情報出力状態報知手段が通信ユニットに設置されていることを特徴とする請求項１、または請求項２に記載の遊技機用監視システム。
【発明の詳細な説明】
【技術分野】
【０００１】
本発明は、パチンコ機等の遊技機に対する不正行為の有無を監視するための監視システムに関するものである。
【背景技術】
【０００２】
遊技機の一種であるパチンコ機においては、作動内容を制御するＲＯＭ等の制御素子を偽造されたものにすり替える不正行為が行われることがある。また、前面に開閉自在に取り付けられたガラス枠やミドル枠等を無理矢理開放して遊技盤面上の入賞装置内に多くの遊技球を入賞させる不正行為が行われることもある。
【０００３】
そのような不正行為を防止するために、出願人は、制御基板収納ボックスの分割式収納ケースにＩＣタグとアンテナとを設置するとともに、監視制御装置を利用してそれらのＩＣタグとアンテナとの間で無線通信を短時間の周期で繰り返し実行させることによって、制御基板収納ボックスの不正開放の有無を監視する監視システムについて提案した（特許文献１）。
【０００４】
さらに、出願人は、上記の如きＩＣタグとアンテナとを利用した遊技機の自動監視システムにおいて、パチンコホールの店員がパチンコ機のメンテナンス作業を実行する際に警報の発生を一時的に停止させることを可能とすべく、店員が有するカードに内蔵された認証用タグと無線通信可能な認証用アンテナをパチンコ機の前面に設置し、カード内の認証用タグと認証用アンテナとの無線通信において所定の条件が充足された場合に、監視制御装置による監視態様を非報知態様に切り替える技術についても提案した（特願２００３−２７６１６４）。
【０００５】
【特許文献１】特開２００４−６５８０１号公報
【発明の開示】
【発明が解決しようとする課題】
【０００６】
上記した認証用タグと認証用アンテナとの通信を利用した不正監視システムによれば、制御基板収納ボックスに対する不正行為を効率的に監視することができる上、パチンコホールの店員が、誤警報を発生させることなく、容易にパチンコ機のメンテナンス作業を行うことが可能となる。しかしながら、上記の如き認証用タグと認証用アンテナとの通信を利用した不正監視システムは、パチンコホールに新規に導入しようとすると、既存のパチンコ機を改造して認証用アンテナを設置しなければならないため、設備改造に多大な手間とコストを要してしまう。また、パチンコ機の種類によっては、そのような認証用アンテナを設置することができない場合もある。
【０００７】
本発明の目的は、上記従来の不正監視システムが有する問題点を解消し、遊技機に対する不正行為を効率的に防止することができるのみならず、既存の設備に非常に容易に、かつ、安価に導入することが可能な遊技機用の監視システムを提供することにある。
【課題を解決するための手段】
【０００８】
かかる本発明の内、請求項１に記載された発明の構成は、遊技機に設置された監視用ＩＣタグと、監視用アンテナを介して前記監視用ＩＣタグと無線通信を実行する監視制御装置と、所定のＩＤ情報を記憶した認証用ＩＣタグと、その認証用ＩＣタグとの無線通信を行って前記認証用ＩＣタグから前記ＩＤ情報を読み取る認証用アンテナと、前記認証用ＩＣタグのＩＤ情報が予め記憶されている管理装置と、前記監視制御装置から送信された監視履歴情報を記憶する中継用ＩＣタグと、中継用アンテナを介して前記中継用ＩＣタグから前記監視履歴情報を読み取る携帯用端末とを有しており、前記監視制御装置が、前記監視用アンテナを介して、前記遊技機に設置された前記監視用ＩＣタグとの間の無線通信を周期的に繰り返し実行し、その無線通信状態が変化した場合に、第一監視情報を外部に出力するとともに、前記認証用アンテナが前記認証用ＩＣタグから読み取ったＩＤ情報が、予め管理装置内に記憶されているＩＤ情報と一致した条件の下では、前記監視用アンテナと前記監視用ＩＣタグとの間の無線通信状態が変化した場合に、前記監視制御装置が前記第一検知情報とは異なる第二監視情報を外部に出力する一方、前記中継用ＩＣタグが、前記携帯用端末と無線通信することにより、前記監視履歴情報を外部に出力する遊技機用監視システムであって、前記認証用アンテナと前記中継用ＩＣタグとを内蔵した通信ユニットが、前記遊技機とは別の位置に設置されていることにある。
【０００９】
請求項２に記載された発明の構成は、請求項１に記載された発明において、監視制御装置が第二監視情報を外部に出力していることを報知するための認証状態報知手段が通信ユニットに設置されていることにある。
【００１０】
請求項３に記載された発明の構成は、請求項１、または請求項２に記載された発明において、中継用ＩＣタグが監視履歴情報を外部に出力していることを報知するための情報出力状態報知手段が通信ユニットに設置されていることにある。
【発明の効果】
【００１１】
請求項１に記載された遊技機用監視システムによれば、遊技機に対する不正行為を効率的に防止することができるのみならず、遊技ホールに設置された既存の遊技機に改造等を施すことなく、非常に容易に不正監視システムを導入することが可能となる。すなわち、通信ユニットという単一の装置内に認証用アンテナと中継用ＩＣタグとが内蔵されているため、認証用アンテナ用の配線と中継用ＩＣタグ用の配線とを設置台に別々に設ける必要がないので、非常に効率的に不正監視システムを導入することが可能となる。
【００１２】
請求項２に記載された遊技機用監視システムによれば、監視制御装置が第二監視情報を外部に出力している場合には、認証状態報知手段によりその旨が報知されるため、遊技ホールの店員が遊技機のメンテナンス作業等をする際に、認証状態となっていることを確認した上で作業を行うことができるので、誤警報を発生させる事態を高い精度で防止することができる。また、遊技ホール店員以外の者が認証用ＩＣタグを悪用して、監視制御装置が第一監視情報を外部に出力する状態を解除する事態を防止することができる。
【００１３】
請求項３に記載された遊技機用監視システムによれば、中継タグが監視履歴情報を外部に出力している場合には、情報出力状態報知手段によりその旨が報知されるので、遊技ホール店員以外の者が携帯用端末を悪用して、監視履歴情報を入手したり改竄したりする事態を防止することができる。
【発明を実施するための最良の形態】
【００１４】
以下、本発明の一実施形態に係るパチンコ機用の監視システムについて、以下の目次の順序にしたがい、図面に基づいて詳細に説明する。
（１）監視システムの概要
（２）監視システムの各要素の構成
（３）監視システムの動作内容
（４）監視システムの効果
（５）監視システムの変更例
【００１５】
（１）監視システムの概要
図１は、本発明の一実施形態に係るパチンコ機用の監視システムを示すブロック図であり、図２は、監視システムＳを導入したパチンコホールの外観を示す説明図である。パチンコホールの各設置台（設置島）２０３，２０３・・には、パチンコ機１，１・・が、背中合わせに２列に並べられて設置されている。また、各設置台２０３，２０３・・には、各パチンコ機１，１・・と隣接した上方に、遊技者が遊技に関する個人情報を入手したり、店員が不正監視に関する情報を入手したりするための通信ユニット３３，３３・・が設置されており、それらの各通信ユニット３３，３３・・の上側に、遊技者が個々のパチンコ機１の遊技内容に関する情報を入手するための情報表示器２０１，２０１・・が設置されている。さらに、各設置台２０３，２０３・・の内部には、各パチンコ機１，１・・を監視するための監視制御装置であるＲＷ（リーダライタ）６６，６６・・が内蔵されており、各ＲＷ６６，６６・・は、パチンコ機１の主制御基板３７および通信ユニット３３と接続された状態になっている。加えて、各ＲＷ６６，６６・・は、ＬＡＮケーブル等の配線を介して、設置台２０３の端部に設置された警報表示器４５、およびパチンコホール全体を管理するホールコンピュータである管理装置３００に接続されている。
【００１６】
かかる監視システムＳにおいては、各ＲＷ６６，６６・・が、各パチンコ機１，１・・に設置された監視用ＩＣタグ（ガラス枠タグ４０）と監視用アンテナ（ガラス枠アンテナ４１）とを利用して、各パチンコ機１，１・・に対する不正行為の有無を監視する。また、パチンコホールの店員が、通信ユニット３３の所定の部位にＩＣタグである店員カードをかざして、通信ユニット３３に内蔵された認証用アンテナ（店員カード用アンテナ２０６）と近接させることによって、監視用ＩＣタグと監視用アンテナとによる監視状態を非報知態様（後述する「認証モード」）に切り替えて、パチンコ機１のメンテナンス作業を実行する際の警報の発生を停止させるとともに、そのメンテナンス作業の間において「作業履歴情報」（後述する）を管理する。さらに、パチンコホールの店員が、携帯用端末（以下、ＰＤＡという）を各通信ユニット３３，３３・・の所定の部位に向けて、通信ユニット３３に内蔵された中継用ＩＣタグ（中継タグ７６）と無線通信を行うことによって、監視用ＩＣタグと監視用アンテナとによる監視動作に関する監視情報をＰＤＡに取り込むことができる。さらに、遊技者が、通信ユニット３３の所定の部位にＩＣタグである遊技者カードを挿入し、通信ユニット３３に内蔵された遊技者カード用アンテナと近接させた状態でパチンコ機１で遊技を行うことにより、ＲＷ６６を介してパチンコ機１の遊技内容に関する情報を入手することができる。
【００１７】
（２）監視システムの各要素の構成
［パチンコ機の構成］
図３〜図５は、パチンコ機１を示したものである。パチンコ機１は、その周囲を機枠２によって支持されており、機枠２の前面には、金属板を折り曲げ形成したミドル枠１０が、左端縁を軸として着脱自在に蝶着されている。そして、ミドル枠１０の前面上側には、略正方形の遊技盤９が設けられているとともに、その遊技盤９を覆うように、ガラス板を嵌め込んだガラス枠４が、左端縁を軸として片開き自在に蝶着されている。
【００１８】
また、遊技盤９の盤面には、液晶画面に種々の動画やメッセージ等を表示可能な図柄表示装置１４が設けられている。また、図柄表示装置１４の下側には、図柄始動口１６が設けられており、その図柄始動口１６の下側には、扉部材６１を開閉させる大入賞装置１７が設けられている。さらに、遊技盤９の盤面には、遊技球の落下に変化をもたせるための多数の障害釘や、風車等の遊技部材が設けられている。加えて、遊技盤９の下端際には、入賞しなかった遊技球を回収するためのアウト口５が設けられている。
【００１９】
さらに、ガラス枠４の開放側の裏面には、監視用ＩＣタグであるガラス枠タグ４０が固着されており、遊技盤９の右上方であってガラス枠４を閉じた際にガラス枠タグ４０と対峙する部位には、ガラス枠タグ４０との間でＲＦ送受信を行う監視用アンテナであるガラス枠アンテナ４１が固着されている。
【００２０】
ガラス枠タグ４０は、ＣＥＭ３等のガラスコンポジット基板上に、ＲＦ回路、ＥＥＰＲＯＭ等の記憶手段、および送受信回路等を設けたものであり、記憶手段の上書消去禁止区域には、ガラス枠タグ４０を他のＩＣタグと識別するための識別情報が記憶されている。
【００２１】
一方、ガラス枠アンテナ４１は、ＣＥＭ３等のガラスコンポジットで形成された薄い板状の基板の表面に送受信回路を渦巻き状に形成したものである。かかるガラス枠アンテナ４１は、ケーブルを介して、設置台２０３内のＲＷ６６に接続されている。
【００２２】
ガラス枠タグ４０は、ガラス枠アンテナ４１との間で、所定の周波数（たとえば、１３．５６ＭＨｚ）を利用して、ＲＦ（Radio Frequency）送受信を行うことが可能であり、呼出波を受信すると、予め記憶されている識別情報を含む反射波を、所定の通信範囲（約３ｍｍ）内に出力（返信）するように設定されている。
【００２３】
一方、パチンコ機１の裏面には、合成樹脂製の機構板３６が設けられており、その機構板３６には、作動内容を制御するための主制御基板３７を収納した主制御基板ボックス３８、賞品球や貸球を払い出すための遊技球払出装置６３等が設置されている。
【００２４】
［ＲＷの構成］
図６は、監視制御装置であるＲＷ６６の制御機構を示したものである。ＲＷ６６は、ＣＰＵ６８、ＲＡＭ６９、ＲＯＭ７０、ＥＥＰＲＯＭ７１、タイマ７２、ＲＦ回路７３、Ｉ／Ｏインタフェイス７４等を有している。そして、ＲＦ回路７３が、パチンコ機１に設置されたガラス枠アンテナ４１のケーブルと接続された状態になっている。なお、ＥＥＰＲＯＭ７１には、パチンコ機１のガラス枠タグ４０に登録されている識別情報が予め記憶されている。
【００２５】
［通信ユニットの構成］
図７は、設置台２０３の表側に設置された通信ユニット３３を示したものである。通信ユニット３３は、合成樹脂によって扁平な直方体状に形成された収納ケース３４の内部に、中継用ＩＣタグである中継タグ７６、遊技者カード用アンテナ７８、認証用アンテナである店員カード用アンテナ２０６を設置したものである。
【００２６】
中継タグ７６は、アンテナとＲＦ通信するためのＲＦ回路およびアンテナ回路を有している。また、パチンコ機１に設置されたガラス枠タグ４０とは異なり、各種の演算を実行するためのＣＰＵを有しているとともに、ＲＦ通信とは別にケーブルを介した有線による通信により信号の送受信をするための入出力ポートを有している。かかる中継タグ７６は、アンテナ回路を捲回させた面を収納ケース３４のフロントパネルの裏側に当接させた状態で固定されており、Ｉ／Ｏケーブル３０によってＲＷ６６のＩ／Ｏインタフェイス７４と接続されている。
【００２７】
遊技者カード用アンテナ７８は、ガラス枠アンテナ４１と同様なものであり、ガラスコンポジット製の薄い基板の表面に送受信回路を渦巻き状に形成したものである。遊技者カード用アンテナ７８は、送受信回路を捲回させた面を、収納ケース３４の略中央に鉛直に設けられたカード挿入用スリット３５の前板に当接させた状態で接着剤等によって固定されており、アンテナケーブル３１ａによってＲＷ６６のＲＦ回路７３に接続されている（図７（ｃ）参照）。
【００２８】
店員カード用アンテナ２０６も、遊技者カード用アンテナやガラス枠アンテナ４１と同様なものであり、ガラスコンポジット製の薄い基板の表面に送受信回路を渦巻き状に形成したものである。かかる遊技者カード用アンテナは、送受信回路を捲回させた面を収納ケース３４のフロントパネルの裏側に当接させた状態で固定されており、アンテナケーブル３１ｂによってＲＷ６６のＲＦ回路７３に接続されている（図７（ｄ）参照）。
【００２９】
また、通信ユニット３３の収納ケース３４のフロントパネルには、内蔵された中継タグ７６、遊技者カード用アンテナ７８、店員カード用アンテナ２０６の上方に相当する位置に、報知ランプ３２ａ，３２ｂ，３２ｃが並設されており、内蔵された中継タグ７６、遊技者カード用アンテナ７８、店員カード用アンテナ２０６の位置を示唆した状態になっている。なお、後述するように、報知ランプ３２ａは、情報出力状態報知手段として機能するものであり、報知ランプ３２ｃは、認証状態報知手段として機能するものである。
【００３０】
［管理装置の構成］
図８は、管理装置３００の制御機構を示したものである。管理装置３００は、ＣＰＵ２９２、ＲＡＭ，ＲＯＭ，ＥＥＰＲＯＭ等からなる記憶手段２９１、タイマ２９７、警告ランプ２９５、表示器２９６、通信回路２９４、Ｉ／Ｏインタフェイス２９３等を有している。そして、ＣＰＵ２９２が、Ｉ／Ｏインタフェイス２９３を介して警告ランプ２９５および表示器２９６と接続された状態になっている。また、ＣＰＵ２９２が、Ｉ／Ｏインタフェイス２９３を介して通信回路２９４と接続されている。そして、各ＲＷ６６，６６・・は、ＬＡＮケーブル等の配線を介して、設置台２０３の警報表示器４５を経由して、管理装置３００のＣＰＵ２９２に接続された状態になっている。また、記憶手段内２９１には、図９の如く、後述する各店員カードの「店員カードＩＤ」がパチンコホールの店員名と対応付けられた状態で記憶されている。すなわち、パチンコホールの“○○一郎”店員が保持すべきＮＯ．１の店員カードの「店員カードＩＤ」としては、“４８５２・・・７９ＡＸ”が記憶されており、パチンコホールの“△△二郎”店員が保持すべきＮＯ．２の店員カードの「店員カードＩＤ」としては、“６９５７・・・３１ＨＹ”が記憶されている。
【００３１】
ｅ．携帯用端末の構成
図１０は、中継タグ７６からパチンコホールの店員が情報を読み取るためのＰＤＡの外観を示す斜視図である。ＰＤＡ９４は、上部に、アンテナおよびＲＦ回路を内蔵したＲＦモジュール９３が設けられており、正面に、受信した「監視履歴情報」等を表示する表示画面９５、各種の指令信号を入力するための操作キー９６等が備えられている。また、ＰＤＡ９４は、受信した「監視履歴情報」等を記憶するためのフラッシュメモリ（図示せず）や、「監視履歴情報」等のデータの送受信を行うためのＩ／Ｏインタフェイス（図示せず）等を備えている。
【００３２】
ｆ．遊技者カードおよび店員カードの構成
図１１は、店員カードを示したものであり、店員カード２４９は、送受信回路２５２、ＲＦ回路２６７およびＥＥＰＲＯＭ等の記憶手段２６６を内蔵したＩＣチップ２５３を合成樹脂によってコーティングしてカード状にしたものである。なお、記憶手段２６６内には、各店員カード２４９に固有のＩＤである「店員カードＩＤ」が記憶されている。
【００３３】
また、遊技者カードは、店員カード２４９と同様なものであり、送受信回路、ＲＦ回路およびＥＥＰＲＯＭ等の記憶手段を内蔵したＩＣチップを合成樹脂によってコーティングしてカード状にしたものである。なお、遊技者カードの記憶手段内には、各遊技者カードに固有のＩＤである「遊技者カードＩＤ」が記憶されている。
【００３４】
（３）監視システムの動作内容
［パチンコ機の作動内容］
各パチンコ機１，１・・は、主制御基板３７に記憶されたプログラムにしたがって、主たる遊技動作を実行する。そして、所定の条件が充足された場合（たとえば、図柄始動口１６へ遊技球が入賞した場合）には、主制御基板３７において「抽選」を実行し、その「抽選」において「大当たり」となった場合には、予め設定された「大当たり図柄」を図柄表示装置１４に表示するとともに、「大当たり状態」を生起させて、大入賞装置１７の扉部材６１を所定回数だけ断続的に開放させる。また、扉部材６１の内部の大入賞口や各種の入賞装置に遊技球が入賞した場合には、遊技球払出装置６３の作動によって賞品球として所定数の遊技球を払い出す。
【００３５】
［不正行為の監視動作］
図１２は、監視システムＳにおけるＲＷ６６、通信ユニット３３、管理装置３００等の各要素の制御機構を示すブロック図である。ＲＷ６６は、パチンコ機１に設置されたガラス枠タグ４０とガラス枠アンテナ４１との間におけるＲＦ送受信を利用して、パチンコ機１においてガラス枠４の監視動作を実行する。すなわち、ＲＷ６６が、ガラス枠アンテナ４１を介して、ガラス枠タグ４０へ呼出波を送信すると、ガラス枠タグ４０は、直ちに、記憶された「識別情報」を含めた反射波を返信する。ＲＷ６６は、ガラス枠アンテナ４１によって、その反射波を受信すると、ガラス枠タグ４０からの反射波に含まれる「識別情報」が、ＥＥＰＲＯＭ７１に予め記憶されているものと一致するか否かを判断し、記憶されたものと同一であると確認した場合には、再度、直ちに呼出波を送信する。しかしながら、呼出波を送信してから所定時間（たとえば、５０ｍｓ）内に反射波を受信しなかった場合や、ガラス枠タグ４０からの反射波に含まれる「識別情報」が、予めＥＥＰＲＯＭ７１に登録されているものと一致しなかった場合には、異常である（ガラス枠４０が不正に開放された可能性がある）と判断し、反射波を受信した時刻等を「異常検知情報」としてＥＥＰＲＯＭ７１に記憶するとともに、後述する「認証モード」で監視動作を実行している場合を除いて「異常信号」を外部へ出力する。
【００３６】
ＲＷ６６は、上記の如き監視動作を、短時間（約数十ｍｓ）の周期で２４時間繰り返し実行する。なお、ガラス枠タグ４０とガラス枠アンテナ４１とは、間隔が約３ｍｍ以内となっている場合にのみＲＦ送受信ができるように設定されている。したがって、ほんの少しの時間、わずかにガラス枠４が開放されたとしても、異常であると判断される。
【００３７】
警報表示器４５は、ＲＷ６６が出力した「異常信号」を受信すると、表示器４６に所定のメッセージを表示するとともに、警報ランプ４７を所定の態様で発光させる。かかる警報ランプ４７の発光によって、パチンコホールの店員の注意が促されることになる。また、警報表示器４５は、ＲＷ６６が出力した「異常信号」を受信すると、管理装置３００へ「異常信号」を送信する。管理装置３００は、警報表示器４５から送信された「異常信号」を受信すると、その受信時刻や発信元の「識別記号」（パチンコ機１の機台番号）を、「異常検知情報」として表示器２９６に表示する。
【００３８】
［店員作業時における認証および作業履歴管理動作］
店員カード２４９が通信ユニット３３の店員カード用アンテナ２０６に近づけられると、店員カード用アンテナ２０６と店員カード２４９との間のＲＦ送受信が可能となる。そして、ＲＷ６６のＣＰＵ６８の指令により、店員カード用アンテナ２０６から呼出波を送信すると、その呼出波を受信した店員カード２４９は、その店員カード２４０に固有の「店員カードＩＤ」を含む射波波を店員カード用アンテナ２０６に送信する（なお、店員カード用アンテナ２０６は、常時、呼出波を送信している）。送信された反射波は、店員カード用アンテナ２０６からＲＷ６６へ伝達される。
【００３９】
ＲＷ６６は、管理装置３００と同様に、各店員カード２４９，２４９・・に記憶された「店員カードＩＤ」を、有効なすべての店員カード２４９，２４９・・の種類別（番号別）に、ＲＡＭ６９内に記憶している（図９参照）。店員カード２４９からの反射波を受信したＲＷ６６は、その反射波に含められた「店員カードＩＤ」が、ＲＡＭ６９内に記憶されたものであるかどうかを判断する。
【００４０】
そして、ＲＷ６６は、店員カード２４９から受信した反射波に含められた「店員カードＩＤ」がＥＥＰＲＯＭ７１内に記憶されたものであると判断した場合には、それ以降、パチンコ機１のガラス枠タグ４０とガラス枠アンテナ４１とが送受信不能になったとしても、警報表示器４５および管理装置３００へ「異常信号」を送信しないように制御する。そのように制御することによって、パチンコホールの店員がメンテナンス作業等のためにパチンコ機１のガラス枠４を開放した場合に、警報表示器４５および管理装置３００へ「異常信号」が送信される事態を回避して、不要な警報を行わないようにすることができる。
【００４１】
また、ＲＷ６６は、店員カード２４９から送信された反射波に含められた「店員カードＩＤ」がＥＥＰＲＯＭ７１内に記憶されたものであると判断した場合には、その反射波を受信した時刻および「店員カードＩＤ」を、「アクセス履歴情報」としてＥＥＰＲＯＭ７１に記憶する。かかる動作によって、何時にどの店員カード２４９によって「店員カードＩＤ」の照合があったかを把握することが可能となる。なお、このような「店員カードＩＤ」の照合があった場合におけるＲＷ６６、警報表示器４５、および管理装置３００によるパチンコ機１の監視態様を「認証モード」といい、それ以外のときの監視態様を「通常モード」という。また、監視態様が「認証モード」になっている間は、通信ユニット３３に設けられている認証状態報知手段である報知ランプ３２ｃが点灯する。
【００４２】
さらに、ＲＷ６６は、監視態様を「認証モード」に切り替えた後、パチンコ機１のガラス枠タグ４０とガラス枠アンテナ４１との送受信が切断された場合には、その切断された時刻を、認証された「店員カードＩＤ」と対応させて「作業履歴情報」としてＥＥＰＲＯＭ７１に記憶するとともに、その「作業履歴情報」を管理装置３００へ送信する。ＲＷ６６から「作業履歴情報」を受信した管理装置３００は、それらの「作業履歴情報」を、パチンコ機１の機台別に、記憶手段２９１内に記憶させる。
【００４３】
なお、監視態様を「認証モード」に切り替えた後、パチンコ機１のガラス枠タグ４０とガラス枠アンテナ４１との送受信が復旧した場合（すなわち、メンテナンス作業等の後にガラス枠４が閉じられてから所定の時間だけ継続して正常な送受信が行われた場合）には、監視態様を再び「通常モード」に切り替えて、それ以降、パチンコ機１のガラス枠タグ４０とガラス枠アンテナ４１とが送受信不能になった場合に警報表示器４５および管理装置３００へ「異常信号」を送信するように制御する。
【００４４】
［監視履歴情報の提供動作］
一方、監視システムＳにおいては、ＰＤＡ９４を用いて、ＲＷ６６のＥＥＰＲＯＭ７１に記憶された「監視履歴情報」を、中継タグ７６を介して取り出し、外部で管理することができる。すなわち、ＰＤＡ９４のＲＦモジュール９３が、通信ユニット３３の中継タグ７６の方へ向けられると、ＰＤＡ９４と中継タグ７６とがＲＦ送受信可能な状態となる。そして、その状態で、操作キー９６を操作することによって、新しい「監視履歴情報」を取り寄せるために「監視履歴送信要求信号」を含む呼出波を送信したり、不要になった「監視履歴情報」を消去するために取り寄せるために「監視履歴クリア信号」を含む呼出波を送信したりすることができる。
【００４５】
ＰＤＡ９４から送信された呼出波が「監視履歴送信要求信号」を含む場合には、中継タグ７６は、ＲＷ６６のＥＥＰＲＯＭ７１に記憶されている「監視履歴情報」を読み出して、その「監視履歴情報」を反射波にのせてＰＤＡ９４へと返信する。中継タグ７６から「監視履歴情報」を含む反射波が返信されると、ＰＤＡ９４の表示画面９５に、その「監視履歴情報」が表示される。
【００４６】
一方、ＰＤＡ９４から送信された呼出波が「監視履歴クリア信号」を含む場合には、中継タグ７６からその呼出波がＲＷ６６に送信されると、ＲＷ６６のＥＥＰＲＯＭ７１に記憶されている「監視履歴情報」がクリアされる。ＲＷ６６のＥＥＰＲＯＭ７１内の「監視履歴情報」がクリアされると、その旨が中継タグ７６を介してＰＤＡ９４へと送信され、ＰＤＡ９４の表示画面９５に、その「監視履歴情報」をクリアした旨が表示される。なお、ＰＤＡ９４が、上記の如く、中継タグ７６と信号の送受信をしている間は、通信ユニット３３に設けられている情報出力状態報知手段である報知ランプ３２ａが点灯する。そのようにＰＤＡを使用することにより、各パチンコ機１，１・・の付近で、個々のパチンコ機１に関する監視情報を入手することができるので、パチンコホールの店員は、入手した監視情報に基づいて迅速に対処することができる。
【００４７】
［遊技情報の提供動作］
一方、監視システムＳにおいては、パチンコ機１の遊技者は、遊技者カード８０を利用して、パチンコ機１の遊技内容に関する情報を取り出すことができる。すなわち、遊技者カード８０が、通信ユニット３３のカード挿入用スリット３５に挿入されると、遊技者カード８０と遊技者カード用アンテナ７８とがＲＦ送受信可能な状態となる。
【００４８】
そして、ＲＷ６６のＣＰＵ６８の指令により、遊技者カード用アンテナ７８から呼出波を送信すると、その呼出波を受信した遊技者カードは、その遊技者カードに固有の「遊技者カードＩＤ」を含む射波波を遊技者カード用アンテナ７８に送信する（なお、遊技者カード用アンテナ７８は、常時、呼出波を送信している）。送信された反射波は、遊技者カード用アンテナ７８からＲＷ６６へ伝達される。
【００４９】
遊技者カード８０からの反射波を受信したＲＷ６６は、それ以降、パチンコ機１の主制御基板３７から受信している遊技情報に基づいて、遊技者カード８０の記憶手段（ＥＥＰ−ＲＯＭ等）への遊技情報（たとえば、「大当たり回数」、「スタート回数」、「消費遊技球数」）の書き込みを実行する。そして、所定のタイミングで（たとえば、５秒毎）、それらの遊技情報を更新する。なお、遊技者カード８０の記憶手段に記憶されている最新の遊技情報は、パチンコホールに設けられた図示しないデータ提供装置によって任意のタイミングで確認することができる。また、その遊技情報の経時変化も、データ提供装置によって任意のタイミングで確認することができる。
【００５０】
（４）監視システムの効果
監視システムＳは、上記の如く、認証用アンテナである店員カード用アンテナ２０６と中継用ＩＣタグである中継タグ７６とを内蔵した通信ユニット３３が、パチンコ機１とは別の位置に設置されるものである。したがって、監視システムＳによれば、パチンコ機１，１・・に対する不正行為を効率的に防止することができるのみならず、パチンコホールに設置された既存のパチンコ機に改造等を施すことなく、非常に容易に不正監視システムを導入することが可能となる。すなわち、通信ユニット３３という単一の装置内に店員カード用アンテナ２０６と中継タグ７６とが内蔵されているため、店員カード用アンテナ２０６のための配線と中継タグ７６のための配線とを設置台２０３に別々に設ける必要がないので、非常に効率的に不正監視システムＳを導入することが可能となる。
【００５１】
また、監視システムＳは、認証状態報知手段である報知ランプ３２ｃが通信ユニット３３に設置されているため、監視状態が「認証モード」になっている場合には、報知ランプ３２ｃによりその旨が報知されるため、パチンコホールの店員がパチンコ機１，１・・のメンテナンス作業等をする際に、「認証モード」となっていることを確認した上で作業を行うことができるので、誤警報を発生させる事態を高い精度で防止することができる。また、パチンコホール店員以外の者が店員カード２４９を悪用して、監視状態を「認証モード」に切り替える事態を防止することができる。
【００５２】
さらに、監視システムＳは、情報出力状態報知手段である報知ランプ３２ａが通信ユニット３３に設置されているため、中継用ＩＣタグである中継タグ７６が「監視履歴情報」を外部に出力している場合には、報知ランプ３２ａによりその旨が報知されるので、パチンコホール店員以外の者がＰＤＡ９４を悪用して、「監視履歴情報」を入手したり改竄したりする事態を防止することができる。
【００５３】
（５）実施例の監視システムの変更例
なお、本発明の監視システムの構成は、上記実施形態の態様に何ら限定されるものではなく、遊技機、監視制御装置（ＲＷ）、認証用アンテナ、認証用ＩＣタグ、監視用ＩＣタグ、監視用アンテナ、中継用ＩＣタグ、携帯用端末、通信ユニット、警報表示器、管理装置等の形状・構造等の構成を、本発明の趣旨を逸脱しない範囲で、必要に応じて適宜変更することができる。
【００５４】
たとえば、監視システムは、パチンコ機の前面に開閉自在に取り付けられたガラス枠にＩＣタグとアンテナとを設けたものに限定されず、パチンコ機の周囲を覆う機枠や、パチンコ機の主制御基板ボックスの収納ケース、あるいは大入賞装置の扉部材等の部位に監視用ＩＣタグと監視用アンテナとを設けたものでも良い。
【００５５】
また、通信ユニットは、上記実施形態の如く、中継用ＩＣタグ、遊技者カード用アンテナ、認証用アンテナを内蔵したものに限定されず、中継用ＩＣタグと認証用アンテナのみを内蔵したものでも良い。なお、通信ユニットを、中継用ＩＣタグ、遊技者カード用アンテナ、認証用アンテナを内蔵したものとした場合には、通信ユニットの利便性が一層向上する、というメリットがある。
【００５６】
一方、監視システムは、パチンコ機の主制御基板と監視制御装置と警報表示器と管理装置とを有線によって接続したものに限定されず、それらの装置を無線によって接続したものに変更することも可能である。また、監視システムは、インターネット等の回線を通じてパチンコホールの外部に監視履歴情報を送信するもの等でも良い。さらに、監視システムは、監視制御装置を介してパチンコ機の主制御基板と警報表示器あるいは管理装置とを接続したものに限定されず、パチンコ機の主制御基板を直接に警報表示器あるいは管理装置と接続したものに変更することも可能である。加えて、監視システムは、必ずしも警報表示器を有するものに限定されず、パチンコ機の主制御基板あるいは監視制御装置を管理装置に直接的に接続したものでも良い。
【００５７】
なお、本発明の監視システムは、上記実施形態の如くパチンコ機を監視するものに限定されず、スロットマシーン、スロットマシーン型パチンコ機等の他の遊技機を監視するものに変更することも可能である。
【産業上の利用可能性】
【００５８】
本発明の遊技機用監視システムは、各種の遊技機用の監視システムとして好適に用いることができる。
【図面の簡単な説明】
【００５９】
【図１】監視システムの概要を示すブロック図である。
【図２】監視システムを導入したパチンコホールの外観を示す説明図である。
【図３】パチンコ機の正面図である。
【図４】ガラス枠およびミドル枠を開放したパチンコ機の前方斜視図である。
【図５】パチンコ機の背面図である。
【図６】ＲＷの制御機構を示すブロック図である。
【図７】（ａ）は通信ユニットの前方斜視図であり、（ｂ）は通信ユニットの正面図であり、（ｃ）は（ｂ）におけるＡ−Ａ線断面を示す説明図であり、（ｄ）は（ｂ）におけるＢ−Ｂ線断面を示す説明図である。
【図８】管理装置の制御機構を示すブロック図である。
【図９】管理装置に「店員カードＩＤ」が記憶されている状態を示す説明図である。
【図１０】ＰＤＡの前方斜視図である。
【図１１】店員カードの制御機構を示すブロック図である。
【図１２】監視システムの各要素の制御機構を示すブロック図である。
【符号の説明】
【００６０】
１・・パチンコ機、３２ａ・・報知ランプ（情報出力状態報知手段）、３２ｃ・・報知ランプ（認証状態報知手段）、３３・・通信ユニット、４０・・ガラス枠タグ（監視用ＩＣタグ）、４１・・ガラス枠アンテナ（監視用アンテナ）、６６・・ＲＷ（監視制御装置）、７６・・中継タグ（中継用ＩＣタグ）、９４・・ＰＤＡ（携帯用端末）、２０６・・店員カード用アンテナ（認証用アンテナ）、３００・・管理装置、Ｓ・・監視システム。
【図１】
2006055357.tif 000003
【図２】
2006055357.tif 000004
【図３】
2006055357.tif 000005
【図４】
2006055357.tif 000006
【図５】
2006055357.tif 000007
【図６】
2006055357.tif 000008
【図７】
2006055357.tif 000009
【図８】
2006055357.tif 000010
【図９】
2006055357.tif 000011
【図１０】
2006055357.tif 000012
【図１１】
2006055357.tif 000013
【図１２】
2006055357.tif 000014